(57)【特許請求の範囲】
【請求項１】
物品出し入れ用の開口部を有する断熱性の箱体と、箱体の開口部を開閉する断熱性の蓋体と、蓄冷剤を収容した蓄冷部材とを備え、蓋体の内面には、蓄冷部材の一端側に係止する係止部と、蓄冷部材の他端側に係止し且つ所定の操作により蓄冷部材との係止を解除可能な係止部材とを設け、蓄冷部材を蓋体に着脱自在に保持するようにした保冷ボックスにおいて、
前記蓄冷部材を蓋体の幅方向に一対備え、
係止部を蓋体の幅方向両端側にそれぞれ設けるとともに、
係止部材を各蓄冷部材の間に配置してその両端が各蓄冷部材にそれぞれ係止するように設けた
ことを特徴とする保冷ボックス。
【請求項２】
前記係止部材をその両端が各蓄冷部材にそれぞれ係止可能となるように回動自在に設けた
ことを特徴とする請求項１記載の保冷ボックス。
【請求項３】
前記蓄冷部材の一端側及び他端側に、係止部及び係止部材を受容する段差部をそれぞれ設けた
ことを特徴とする請求項１または２記載の保冷ボックス。
【発明の詳細な説明】
【０００１】
【発明の属する技術分野】
本発明は、各種物品を低温状態で運搬または保管するための保冷ボックスに関するものである。
【０００２】
【従来の技術】
従来、医薬品、血液または生体の一部等、厳密な温度管理を必要とする物品を輸送する場合、外部温度の影響を受けないように断熱箱に収容するのが一般的であった。しかしながら、車両による輸送では荷物室が高温になるなど、断熱箱のみでは内部の物品を低温に維持することができない場合がある。
【０００３】
そこで、断熱箱内を低温状態に保つため、例えば特開平１１−１７３７２２号公報に記載されているように断熱箱の蓋の内部に蓄冷剤を収納可能にしたもの、或いは特開平１１−２５７８１５号公報に記載されているように断熱箱の蓋の内面に永久磁石によって蓄冷剤を着脱自在に取付けるようにしたもの等が知られている。
【０００４】
【発明が解決しようとする課題】
しかしながら、前者の場合は断熱箱の蓋を上下二つの部材によって分割構成し、その間に蓄冷剤を収容するようになっているため、蓋の各部材を分離しなければ蓄冷剤を出し入れすることができず、蓄冷剤の着脱性に劣るという問題点があった。また、後者の場合は蓄冷剤の着脱性を向上させるために永久磁石を用いているが、輸送時の振動や衝撃等によって蓄冷剤の脱落を生じ易く、このような脱落を防止するために磁力の強いものを用いると取り外しが困難になるという問題点があった。更に、後者のように永久磁石を用いた場合、磁石の錆びつき、ゴミの吸着、重量の増加、電子機器への悪影響といった問題点も有している。
【０００５】
本発明は前記問題点に鑑みてなされたものであり、その目的とするところは、蓄冷部材を確実に保持することができ、しかも蓄冷部材の着脱を容易に行うことのできる保冷ボックスを提供することにある。
【０００６】
【課題を解決するための手段】
本発明は前記目的を達成するために、請求項１では、物品出し入れ用の開口部を有する断熱性の箱体と、箱体の開口部を開閉する断熱性の蓋体と、蓄冷剤を収容した蓄冷部材とを備え、蓋体の内面には、蓄冷部材の一端側に係止する係止部と、蓄冷部材の他端側に係止し且つ所定の操作により蓄冷部材との係止を解除可能な係止部材とを設け、蓄冷部材を蓋体に着脱自在に保持するようにした保冷ボックスにおいて、前記蓄冷部材を蓋体の幅方向に一対備え、係止部を蓋体の幅方向両端側にそれぞれ設けるとともに、係止部材を各蓄冷部材の間に配置してその両端が各蓄冷部材にそれぞれ係止するように設けている。また、請求項２では、請求項１記載の保冷ボックスにおいて、前記係止部材をその両端が各蓄冷部材にそれぞれ係止可能となるように回動自在に設けている。
【０００７】
これにより、係止部材を操作して各蓄冷部材の他端側との係止を解除し、各蓄冷部材の一端側をそれぞれ各係止部から外すことにより、各蓄冷部材が蓋から取外される。また、各蓄冷部材を蓋体に装着する場合は、各蓄冷部材の一端側を蓋体の係止部に係止するとともに、係止部材を操作してその両端を各蓄冷部材の他端側に係止することにより、各蓄冷部材が蓋体に保持される。その際、係止部材の両端が各蓄冷部材にそれぞれ係止することから、一つの係止部材の操作によって一対の蓄冷部材の着脱が同時に行われる。
【０００８】
また、請求項３では、請求項１または２記載の保冷ボックスにおいて、前記蓄冷部材の一端側及び他端側に、係止部及び係止部材を受容する段差部をそれぞれ設けている。これにより、請求項１または２の作用に加え、蓋体の各係止部及び係止部材の両端がそれぞれ各蓄冷部材の各段差部に受容されることから、各係止部及び係止部材が各蓄冷部材の表面から突出することがない。
【０００９】
【発明の実施の形態】
図１乃至図６は本発明の一実施形態を示すもので、図１は保冷ボックスの全体斜視図、図２はその正面断面図、図３は蓄冷部材の側面断面図、図４は蓋の内側を示す平面図、図５及び図６は保冷ボックスの要部正面断面図である。
【００１０】
この保冷ボックスは、上面に開口部を有する断熱性の箱体１と、箱体１の上面開口部を開閉する断熱性の蓋２と、蓋２の内面側に着脱自在に保持された一対の蓄冷部材３とからなり、蓋２の内面には各蓄冷部材３を着脱するための係止部材４が取付けられている。
【００１１】
箱体１は持ち運び用の把持部１ａを有し、把持部１ａは両端を箱体１の側面に回動自在に連結されている。
【００１２】
蓋２は後端側を箱体１に回動自在に連結され、その前端側には箱体１側に着脱自在に結合する結合部２ａが設けられている。また、蓋２は互いに周端を図示しないネジによって結合された外面側部材２ｂ及び内面側部材２ｃとからなり、外面側部材２ｂと内面側部材２ｃとの間には断熱材２ｄが収容されている。内面側部材２ｃの幅方向両端側には各蓄冷部材３の一端側に係止する係止部２ｅがそれぞれ設けられ、各係止部２ｅは内面側部材２ｃの幅方向中央に向かってＬ字形に屈曲している。また、内面側部材２ｃの前後方向両端側には各蓄冷部材３の側面を覆う側壁部２ｆがそれぞれ突設されている。
【００１３】
各蓄冷部材３は、合成樹脂からなる中空板状の容器３ａと、容器３ａ内に収容された蓄冷剤３ｂとからなる。容器３ａの一端には蓄冷剤３ｂの流出入口３ｃが設けられ、流出入口３ｃには着脱自在な栓３ｄが取付られている。この場合、蓄冷剤３ｂには、例えば水、デンプン、セルロース、ガラギーナン、プロピレングリコール、塩化ナトリウムまたは尿素等、凍結させることにより蓄冷する物質が用いられる。また、各蓄冷部材３の幅方向一端側及び他端側には蓋２の係止部２ｅ及び後述する係止部材４の係止片４ａをそれぞれ受容可能な段差部３ｅが設けられ、段差部３ｅは各蓄冷部材３の所定の面（図２における上下方向一方の面）及びその反対側の面にそれぞれ設けられている。
【００１４】
係止部材４は蓋２の幅方向中央に配置され、段付きネジ５によって蓋２の内面側部材２ｃに回動自在に取付けられている。係止部材４は中央にネジ５を収容する凹部４ａを有し、両端には長手方向に延びる係止片４ｂがそれぞれ設けられている。即ち、図４に示すように係止部材４を図中横向きになるように回動すると、係止部材４の各係止片４ｂが各蓄冷部材３の段差部３ｅに係止し、係止部材４を図中縦向きになるように回動すると、各係止片４ｂと各蓄冷部材３との係止が解除されるようになっている。また、係止部材４及び蓋２の内面側部材２ｃには互いに係合可能な凹部４ｃ及び凸部２ｇが設けられ、これら凹部４ｃ及び凸部２ｇは係止部材４の各係止片４ｂが各蓄冷部材３の段差部３ｅに係止する位置で互いに係合するようになっている。この場合、係止部材４の回動時には、係止部材４の弾性変形によって凸部２ｇを強制的に乗り越えるようにしてもよいが、係止部材４をネジ５の軸方向に移動可能に取付け、スプリングによって蓋２側に付勢するようにしてもよい。
【００１５】
以上のように構成された保冷ボックスにおいては、各蓄冷部材３の蓄冷剤３ｂを凍結させ、医薬品、血液または生体の一部等、任意の物品を箱体１内に収納することにより、各蓄冷部材３の蓄冷剤３ｂによって箱体１内の物品が低温状態に維持される。
【００１６】
また、前記保冷ボックスでは、各蓄冷部材３を蓋２から取外すことにより、解凍した蓄冷剤３ｂを別途冷凍庫等で再度凍結させたり、或いは蓄冷部材３内の蓄冷剤３ｂを交換することができる。即ち、係止部材４を回動して各蓄冷部材３の他端側との係止を解除し、各蓄冷部材３の一端側をそれぞれ各係止部２ｅから外すことにより、各蓄冷部材３が蓋２から取外される。また、各蓄冷部材３を蓋２に装着する場合は、各蓄冷部材３の一端側を蓋２の係止部２ｅに係止するとともに、係止部材４を回動してその各係止片４ｂを各蓄冷部材３の他端側に係止することにより、各蓄冷部材３が蓋２に保持される。その際、蓋２の各係止部２ｅ及び係止部材４の各係止片４ｂはそれぞれ各蓄冷部材３の各段差部３ｅに受容されることから、各係止部２ｅ及び各係止片４ｂが各蓄冷部材３の表面から突出することがない。
【００１７】
このように、本実施形態の保冷ボックスによれば、蓋２の内面に、各蓄冷部材３の一端側に係止する係止部２ｅと、各蓄冷部材３の他端側に係止する回動可能な係止部材４とを設け、係止部材４を回動することにより各蓄冷部材３との係止を解除するようにしたので、係止部２ｅ及び係止部材４の係止によって各蓄冷部材３を蓋２に確実に保持することができるとともに、係止部材４の回動操作により各蓄冷部材３を容易に着脱することができる。
【００１８】
また、各蓄冷部材３に各係止部２ｅ及び各係止片４ｂをそれぞれ受容する段差部３ｅを設け、各係止部２ｅ及び各係止片４ｂが各蓄冷部材３の表面から突出しないようにしたので、箱体１内を有効に使用することができるとともに、箱体１内に物品を出し入れする際、各係止部２ｅまたは各係止片４ｂに物品や作業者の手指等が接触することがなく、取扱性の向上を図ることができる。
【００１９】
更に、各係止部２ｅを蓋２の幅方向両端側にそれぞれ設けるとともに、係止部材４を各蓄冷部材３の間に設けてその両端が各蓄冷部材３にそれぞれ係止可能となるようにしたので、一つの係止部材４の操作によって二つの蓄冷部材３の着脱を同時に行うことができ、着脱性をより向上させることができる。
【００２０】
また、前記段差部３ｅを各蓄冷部材３の所定の面及びその反対側の面にそれぞれ設けたので、何れの面を蓋２の内面に対向させた場合でも各蓄冷部材３を保持することができ、各蓄冷部材３の装着時における作業性を向上させることができる。
【００２１】
図７及び図８は係止部材の変形例を示すもので、同図に示す係止部材６は、前記係止部材４と同様、両端に長手方向に延びる係止片６ａを有し、その中央部には指先等を挿入可能な一対の凹部６ｂ及びその間に形成された把持部６ｃが設けられている。即ち、各凹部６ｂに挿入した指先等で把持部６ｃを把持することにより、係止部材６を容易に回動することができる。
【００２２】
【発明の効果】
以上説明したように、請求項１及び２の保冷ボックスによれば、蓄冷部材を確実に保持することができ、しかも蓄冷部材の着脱を容易に行うことのできるので、実用上極めて有利である。その際、一つの係止部材の操作によって一対の蓄冷部材の着脱を同時に行うことができるので、着脱性をより向上させることができる。
【００２３】
また、請求項３の保冷ボックスによれば、請求項１または２の効果に加え、蓄冷部材を保持するための各係止部及び係止部材が蓄冷部材の表面から突出することがないので、箱体内を有効に使用することができるとともに、箱体内に物品を出し入れする際、各係止部または係止部材に物品や作業者の手指等が接触することがなく、取扱性の向上を図ることができる。
【図面の簡単な説明】
【図１】本発明の一実施形態を示す保冷ボックスの全体斜視図
【図２】保冷ボックスの正面断面図
【図３】蓄冷部材の側面断面図
【図４】蓋の内側を示す平面図
【図５】保冷ボックスの要部正面断面図
【図６】保冷ボックスの要部正面断面図
【図７】係止部材の変形例を示す平面図
【図８】図７のＡ−Ａ線矢視方向断面図
【符号の説明】
１…箱体、２…蓋、２ｅ…係止部、３…蓄冷部材、３ｂ…蓄冷剤、３ｅ…段差部、４，６…係止部材。
【図１】
0004287564.tif 000002
【図２】
0004287564.tif 000003
【図３】
0004287564.tif 000004
【図４】
0004287564.tif 000005
【図５】
0004287564.tif 000006
【図６】
0004287564.tif 000007
【図７】
0004287564.tif 000008
【図８】
0004287564.tif 000009